【手続補正書】
【提出日】平成17年2月10日(2005.2.10)
【手続補正１】
【補正対象書類名】明細書
【補正対象項目名】特許請求の範囲
【補正方法】変更
【補正の内容】
【特許請求の範囲】
【請求項１】
鉱油及び合成油から成る基油と増ちょう剤と極圧剤を含むグリース組成物を、軸受に注入したピボットアッシー用軸受。
【請求項２】
前記基油の40℃における動粘度が４０〜８０ｍｍ２／ｓである請求項１に記載したピボットアッシー用軸受。
【請求項３】
鉱油：合成油の質量比が１：０．５〜２である請求項１に記載したピボットアッシー用軸受。
【請求項４】
前記合成油が、ポリαオレフィン（ＰＡＯ）である請求項１〜３のいずれかひとつに記載したピボットアッシー用軸受。
【請求項５】
前記ポリαオレフィン（ＰＡＯ）がデセン-１のダイマー、トリマー、テトラマーからなるデセン-１のオリゴマーから選ばれる１種または２種以上の混合物である請求項４に記載したピボットアッシー用軸受。
【請求項６】
前記増ちょう剤がウレア化合物である請求項１〜５のいずれかひとつに記載されたピボットアッシー用軸受。
【請求項７】
前記極圧剤が、モリブデン化合物、有機脂肪酸化合物、有機リン化合物からなる群より選ばれる１種若しくは２種以上の化合物である請求項１〜６のいずれかひとつに記載されたピボットアッシー用軸受。
【請求項８】
前記モリブデン化合物が、モリブデンジチオホスフェート及び／又はモリブデンジチオカーバーメートである請求項１〜６のいずれかひとつに記載されたピボットアッシー用軸受。
【請求項９】
前記有機リン化合物が、トリクレジルフォスファイトである請求項１〜６のいずれかひとつに記載されたピボットアッシー用軸受。
【手続補正２】
【補正対象書類名】明細書
【補正対象項目名】０００４
【補正方法】変更
【補正の内容】
【０００４】
【課題を解決するための手段】
本発明は、鉱油及び合成油から成る基油と増ちょう剤と極圧剤を含むグリース組成物を、軸受に注入したピボットアッシー用軸受に関し、とくに、４０℃における動粘度が４０〜８０ｍｍ２／ｓ好ましくは５０〜７０ｍｍ２／ｓである基油と、ウレア系増ちょう剤と、極圧剤を含むグリース組成物を軸受に注入すると急発進、急停止を繰り返しても、長時間の使用に耐えるピボットアッシー用軸受として有効であることを見出したものである。
【手続補正３】
【補正対象書類名】明細書
【補正対象項目名】０００５
【補正方法】変更
【補正の内容】
【０００５】
【発明の実施の形態】
本発明で用いる基油は、鉱油及び合成油から成る。本発明で用いる鉱油としては、ナフテン系鉱油、パラフィン系鉱油、水素化系鉱油、水素分解系鉱油、溶剤精製鉱油、高精製鉱油これらの１種又は２種以上の混合物が挙げられる。本発明で用いる合成油は、40℃における動粘度か50ｍｍ２／ｓ未満では、グリースか飛散、漏洩し、軸受寿命か短くなってしまい、また、70ｍｍ２／ｓを超えると、軸受の回転トルクが上昇し、エネルギーロスか生じるという点で好ましくない。
【手続補正４】
【補正対象書類名】明細書
【補正対象項目名】０００６
【補正方法】変更
【補正の内容】
【０００６】
本発明で用いられる合成油は、市販の各種ポリαオレフィン（ＰＡＯ）を上記の条件を満足するように適宜混合することにより調整できる。本発明で用いるポリαーオレフィンは、１−オクテン、１−ノネン、１−デセン、１−ドデセン、１−トリデセン、１−テトラデセン、１−ペンタデセン、１−ヘキサデセン、１−ヘプタデセン、１−オクタデセン、１−ノナデセン、１−エイコセン、１−ドコセン等のダイマー、トリマー、テトラマーなどのオリゴマーが挙げられる。とくにデセン−１のダイマー、トリマー、テトラマーなどのオリゴマーが望ましい。さらに、本発明のピボットアッシー用軸受において、基油は、鉱油：合成油の質量比が１：０．５〜２であり、好ましくは１：０．７〜１．５である。
【手続補正５】
【補正対象書類名】明細書
【補正対象項目名】００１１
【補正方法】変更
【補正の内容】
【００１１】
有機リン化合物としては亜リン酸エステルが好ましく、この亜リン酸エステルとしては、炭化水素基を有する亜リン酸エステル類が知られており、トリオクチルフォスファイト、トリフェニルフォスファイト、トリクレジルフォスファイト、ビス−２−エチルヘキシルフォスファイト、トリデシルフォイスファイト、ジブチルハイドロジェンフォスファイト、トリス（ノニルフェニル）フォスファイト、ジラウリルハイドロジェンフォスファイト、ジフェニルモノデシルフォスファイト、トリラウリルトリチオフォスファイト、ジフェニルハイドロジェンフォスファイト等を挙げることができる。
【手続補正６】
【補正対象書類名】明細書
【補正対象項目名】００１４
【補正方法】変更
【補正の内容】
【００１４】
本発明の実施の形態をまとめると以下のとおりである。
（１）鉱油及び合成油から成る基油と増ちょう剤と極圧剤を含むグリース組成物を、軸受に注入したピボットアッシー用軸受。
（２）４０℃における動粘度が４０〜８０ｍｍ２／ｓである基油を用いる上記（１）に記載したピボットアッシー用軸受。
（３） 鉱油：合成油の質量比が１：０．５〜２である上記（１）に記載したピボットアッシー用軸受。
（４） 合成油が、ポリαオレフィン（ＰＡＯ）である上記（１）〜（３）のいずれかひとつに記載したピボットアッシー用軸受。
（５） ポリαオレフィン（ＰＡＯ）がデセン-１のダイマー、トリマー、テトラマーなどデセン-１のオリゴマーから選ばれる１種または２種以上の混合物である上記（４）に記載したピボットアッシー用軸受。
（６） 増ちよう剤がウレア化合物である上記（１）〜（５）のいずれかひとつに記載されたピボットアッシー用軸受。
（７） 極圧剤が、モリブデン化合物、有機脂肪酸化合物、有機リン化合物からなる群より選ばれる１種若しくは２種以上の化合物である上記（１）〜（６）のいずれかひとつに記載されたピボットアッシー用軸受。
（８） モリブデン化合物が、モリブデンジチオホスフェート及び／又はモリブデンジチオカーバーメートである上記（１）〜（６）のいずれかひとつに記載されたピボットアッシー用軸受。
（９） 有機リン化合物が、トリクレジルフォスファイトである上記（１）〜（６）のいずれかひとつに記載されたピボットアッシー用軸受。
【手続補正７】
【補正対象書類名】明細書
【補正対象項目名】００１５
【補正方法】変更
【補正の内容】
【００１５】
【実施例】
（実施例）ナフテン系鉱油及びデセン−１のオリゴマーである合成油を、質量比が１：１で混合して４０℃における動粘度が５２〜５３ｍｍ２／ｓである基油を作成した。パラフィン系鉱油及びデセン−１のオリゴマーである合成油を、質量比が１：１で混合して４０℃における動粘度が５５〜５６ｍｍ２／ｓである基油を作成した。増ちょう剤として脂環一脂肪族混合のジウレア化合物（ジフェニルメタン4，4’−ジイソシアネート5モル、シクロヘキシルアミン3モル、ステアリルアミン7モルのモル比で反応させたジウレア化合物）を作成し、グリース組成物全体の１２から１４質量％を用いた。増ちょう剤としてステアリン酸リチウムをグリース組成物全体の１２から１４質量％を用いた。極圧剤として、モリブデン化合物として、モリブデンジチオホスフェート（前記式中、Ｒ１、Ｒ２、Ｒ３及びＲ４は、それぞれ炭素数が１〜１０のアルキル基、または、炭素数が６のアリール基である。）及びモリブデンジチオカーバーメート（前記式中、Ｒ５、Ｒ６、Ｒ７、Ｒ８は炭素数１〜８のアルキル基であり、ＸはＯである。）を用いた。極圧剤として、有機リン化合物としては、トリクレジルフォスファイトを用いた。極圧剤は、グリース組成物全体の１〜２質量％を用いた。安定剤として、アミン系酸化防止剤、スルホン酸系及びエステル系防錆剤をグリース組成物全体の２〜５質量％を用いグリースを調製した。表１にグリースの組成を示す。
(比較例)極圧剤を添加しないグリース組成物を用いた。
【手続補正８】
【補正対象書類名】明細書
【補正対象項目名】００１６
【補正方法】変更
【補正の内容】
【００１６】
【表１】
2003239954.tif 000001
【手続補正９】
【補正対象書類名】明細書
【補正対象項目名】００１８
【補正方法】変更
【補正の内容】
【００１８】
【表２】
2003239954.tif 000002
【手続補正１０】
【補正対象書類名】明細書
【補正対象項目名】００１９
【補正方法】変更
【補正の内容】
【００１９】
以上の結果は、鉱油及び合成油から成る基油と増ちょう剤と極圧剤を含むグリース組成物を注入したピボットアッシー用軸受が、長時間の揺動耐久テストにおいて、優れた結果を導くことが証明され、とくに、４０℃における動粘度が４０〜８０ｍｍ２／ｓ好ましくは５０〜７０ｍｍ２／ｓである基油と、ウレア系増ちょう剤と、極圧剤を含むグリース組成物を軸受に注入したピボットアッシー用軸受が、急発進、急停止を繰り返しても、長時間の使用に耐えることがわかった。